(57)【要約】【課題】化粧品容器自体にタッチ部を取り付けて、使用者の手に化粧品の内容物が付かないようにする。また、タッチ部に一つ以上の貫通孔及び多様な形状の貫通孔を設けて、化粧品の内容物がタッチ部の全面に渡って一様に排出されるようにする。また更に、タッチ部の材料として多様な材料を適用して化粧品の内容物が一様に良く広がるようにすると共に、タッチ感をも向上する。【解決手段】交替可能なタッチ部付き化粧品容器は、一側に開口部１１０を有し、液状の内容物を入れる収容部１００と、該収容部１００の該開口部１１０と結合し、一側に設けられた一つ以上の排出突起２１０を通じて該内容物を排出する排出部２００と、該排出部２００の該一つ以上の排出突起２１０が対応して挿入される一つ以上の貫通孔４１０を有するタッチ部４００と、該タッチ部４００を覆いかぶせる蓋部５００とを含む。【選択図】図１
2008055153.tif 000002
【特許請求の範囲】
【請求項１】
一側に開口部を有し、液状の内容物を入れる収容部と、
前記収容部の前記開口部と結合し、一側に設けられた一つ以上の排出突起を通じて該内容物を排出する排出部と、
前記排出部の前記一つ以上の排出突起が対応して挿入される一つ以上の貫通孔を備えるタッチ部と、
前記タッチ部を覆いかぶせる蓋部と
を含むことを特徴とする交替可能なタッチ部付き化粧品容器。
【請求項２】
前記排出部の内面には係止突起が設けられ、前記タッチ部の外面には前記係止突起と係合する係止溝が設けられ、
または、
前記排出部の内面には係止溝が設けられ、前記タッチ部の外面には前記係止溝と係合する係止突起が設けられる
ことを特徴とする請求項１に記載の交替可能なタッチ部付き化粧品容器。
【請求項３】
一側に開口部を有し、液状の内容物を入れる収容部と、
前記収容部の前記開口部と結合し、一側に設けられた一つ以上の排出突起を通じて該内容物を排出する排出部と、
前記排出部の前記一つ以上の排出突起が対応して挿入される一つ以上の貫通孔を備えるタッチ部と、
前記排出部と結合し、前記タッチ部を収容する支持部と、
前記タッチ部を覆いかぶせる蓋部と
を含むことを特徴とする交替可能なタッチ部付き化粧品容器。
【請求項４】
前記支持部の内面には係止突起が設けられ、前記タッチ部の外面には前記係止突起と係合する係止溝が設けられ、
または、
前記支持部の内面には係止溝が設けられ、前記タッチ部の外面には前記係止溝と係合する係止突起が設けられる
ことを特徴とする請求項３に記載の交替可能なタッチ部付き化粧品容器。
【請求項５】
前記タッチ部が、耐油性の材料からなることを特徴とする請求項１乃至４のいずれかに記載の交替可能なタッチ部付き化粧品容器。
【請求項６】
前記タッチ部が、ポリウレタン材料、シリコン材料及び発疱ゴム材料の群のうちのいずれかからなることを特徴とする請求項１乃至４のいずれかに記載の交替可能なタッチ部付き化粧品容器。
【請求項７】
前記発疱ゴム材料が、ニトリル・ブタジエン・ゴムであることを特徴とする請求項６に記載の交替可能なタッチ部付き化粧品容器。
【請求項８】
前記タッチ部の上面に、植毛部が更に取り付けられることを特徴とする請求項１乃至４のいずれかに記載の交替可能なタッチ部付き化粧品容器。
【請求項９】
前記植毛部が、ナイロン・パイルからなることを特徴とする請求項８に記載の交替可能なタッチ部付き化粧品容器。
【請求項１０】
前記蓋部の内部上面には、前記排出部の排出突起を塞ぐ排出突起栓が更に設けられることを特徴とする請求項１乃至４のいずれかに記載の交替可能なタッチ部付き化粧品容器。
【請求項１１】
前記蓋部の外面に、鏡が更に取り付けられることを特徴とする請求項１乃至４のいずれかに記載の交替可能なタッチ部付き化粧品容器。
【請求項１２】
前記排出部の内面には、前記排出突起と連通するパッキングが更に取り付けられ、
前記収容部の前記開口部が前記パッキングと対応する形状に設けられ、
前記収容部と前記排出部とがパッキング結合することによってシールされている
ことを特徴とする請求項１乃至４のいずれかに記載の交替可能なタッチ部付き化粧品容器。
【発明の詳細な説明】
【技術分野】
【０００１】
本発明は、内容物、例えば液状のファンデーション、ゲル状態と類似な日焼け止めローションなど、使用者の皮膚上に開いて塗り付け得る形態の内容物（以下、「液状の内容物」と称す）を収容する化粧品容器に関し、詳しくは、皮膚に触れるタッチ部を交替可能な化粧品容器に関する。
【背景技術】
【０００２】
従来、液状の内容物に使われる化粧品容器には、タッチ部が別途に備えられなかった。そのため、使用者は手や頬等に該内容物を排出させてから、手で擦って該内容物が一様に広がるようにした。それによって、使用者の手がべたつくか、または一様に広がらないなどの不便さが生じるという不都合があった。
【発明の開示】
【発明が解決しようとする課題】
【０００３】
本発明は、上記の従来技術の問題に鑑みてなされたもので、化粧品容器自体にタッチ部を取り付けて、使用者の手に化粧品の内容物が付かないようにすることを目的とする。
【０００４】
また、本発明は、タッチ部を交替可能なものとして、一定な回数を使用の後、使用者が容易に該タッチ部を交替することができるようにすることを目的とする。
【０００５】
また更に、本発明は、化粧品の内容物がタッチ部の全面に渡って一様に排出されて、使用者の皮膚上に一様に広がるようにすると共に、感触の優れたタッチ部を備えることを目的とする。
【課題を解決するための手段】
【０００６】
本発明は、交替可能なタッチ部付き化粧品容器に関するものであって、内容物、例えば液状のファンデーション、ゲル状態と類似な日焼け止めローションなど、使用者の皮膚上に開いて塗り付け得る形態の内容物（以下、「液状の内容物」と称す）を収容する化粧品容器に関し、詳しくは、皮膚に触れるタッチ部を交替可能な化粧品容器に関するものである。
【０００７】
本発明による交替可能なタッチ部付き化粧品容器は、一側に開口部を有し、液状の内容物を入れる収容部と、該収容部の該開口部と結合し、一側に設けられた一つ以上の排出突起を通じて該内容物を排出する排出部と、該排出部の該一つ以上の排出突起が対応して挿入する一つ以上の貫通孔を有するタッチ部と、該タッチ部を覆いかぶせる蓋部とを含む。
【０００８】
ここで、前記排出部の内面には係止突起が設けられ、前記タッチ部の外面には前記係止突起と係合する係止溝が設けられ、または、前記排出部の内面には係止溝が設けられ、前記タッチ部の外面には前記係止溝と係合する係止突起が設けられてもよい。
【０００９】
また、本発明による交替可能なタッチ部付き化粧品容器は、一側に開口部を有し、液状の内容物を入れる収容部と、前記収容部の前記開口部と結合し、一側に設けられた一つ以上の排出突起を通じて該内容物を排出する排出部と、前記排出部の前記一つ以上の排出突起が対応して挿入される一つ以上の貫通孔を備えるタッチ部と、前記排出部と結合し、前記タッチ部を収容する支持部と、前記タッチ部を覆いかぶせる蓋部とを含む。
【００１０】
ここで、前記支持部の内面には係止突起が設けられ、前記タッチ部の外面には前記係止突起と係合する係止溝が設けられ、または、前記支持部の内面には係止溝が設けられ、前記タッチ部の外面には前記係止溝と係合する係止突起が設けられてもよい。
【発明の効果】
【００１１】
本発明は、化粧品容器に交替可能なタッチ部を取付けて、使用者の手に化粧品の内用物がつかないようにするという効果を奏する。
【００１２】
本発明は、タッチ部に一つ以上の貫通孔及び多様な形状の貫通孔を設けて、化粧品の内容物がタッチ部の全面に渡って一様に排出されるようにするという効果を奏する。
【００１３】
本発明は、タッチ部の材料として多様な材料を適用でき、化粧品の内容物が一様に良く広がるようにすると共に、タッチ感をも向上するという効果を奏する。
【発明を実施するための最良の形態】
【００１４】
以下では、図面を参照しながら、本発明をより具体的に説明する。図１は、本発明による化粧品容器の組立前状態を示す断面図であって、図１に示した本発明による化粧品容器の一実施の形態は収容部１００と、排出部２００と、支持部３００と、タッチ部４００と、蓋部５００とを含む。
【００１５】
本発明による収容部１００は、開口部１１０を有し、液状の内容物を収容することができる。
【００１６】
本発明による排出部２００は、内部の貫通する排出突起２１０を有する。排出部２００は図１に示すように、収容部１００の開口部１１０と螺合しているが、その他、凹凸結合など様々な仕組みで結合してもよい。また、本発明による収容部１００と排出部２００とは、互いに分離されない一体型として構成してもよい。
【００１７】
本発明による支持部３００には、タッチ部４００を固定するための係止突起３１０を形成することができる。係止突起３１０にタッチ部４００の係止溝４３０が係合することによって、支持部３００とタッチ部４００とは結合することができる。そして、支持部３００が収容部１００及び／又は排出部２００と結合すると、タッチ部４００の係止溝４３０の下部が押し当てられることによって、より堅固な結合が成され得る。
【００１８】
本発明によるタッチ部４００には、内部を貫通する貫通孔４１０が設けられており、排出部２００がタッチ部４００に結合される際、排出部２００の排出突起２１０が該貫通孔４１０に嵌挿される。
【００１９】
本発明による蓋部５００は、排出突起栓５１０及び鏡５３０を有する。排出突起栓５１０は蓋部５００の内部上面に設けられ、タッチ部４００の貫通孔４１０上側に若干挿入して、排出部２００の排出突起２１０から液状の内容物が漏れ出すことを防ぐ働きをする。このため、本発明による排出部２００の排出突起２１０は、タッチ部４００の上面と同じ高さに設けられてもよく、より好ましくは、タッチ部４００の上面の高さより低い高さに設けられてもよい。これは本発明による化粧品容器を使用者の皮膚にタッチするとき、皮膚に排出突起２１０が直接触れると、皮膚を損傷する恐れを防止するという面がある。
【００２０】
蓋部５００の外面には鏡５３０を取り付けてもよい。図１の場合、その外部の上面に鏡５３０を取り付けているが、側面に取り付けてもよい。
【００２１】
図１に示す本発明の実施の形態の場合、使用者はタッチ部４００のみを交替してもよく、支持部３００と互いに結合されたタッチ部４００とを交替してもよい。
【００２２】
図２は、本発明の一実施の形態による化粧品容器のタッチ部に関する断面図である。ここで、タッチ部４００は、その外径を排出部２００の内径と略同一に設けて嵌挿させてもよく、その外径を排出部２００の内径より若干大きく設けて、排出部２００内に圧入させてもよい（図２の（ａ）参照）。
【００２３】
また、排出部２００には係止突起２３０を設け、タッチ部４００にはそれに対応する係止溝４３０を設けて、これらの両方を係合したり（図２の（ｂ）参照）、排出部２００には係止溝２５０を設け、タッチ部４００にはそれに対応する係止突起４５０を設けて、これらの両方を係合してもよい（図２の（ｃ）参照）。
【００２４】
図２に示した本発明の実施の形態の場合、使用者はタッチ部４００のみを交替してもよく、排出部２００とタッチ部４００とが結合したものを交替してもよい。
【００２５】
図３は、本発明の他の実施の形態による化粧品容器のタッチ部に関する断面図であって、図１に示したことと類似である。この実施の形態において、排出部２００と支持部３００との嵌め込み（図３の（ａ）参照）、及び係止溝と係止突起との係合（図３の（ｂ）及び（ｃ）参照）は、図２の（ａ）、（ｂ）及び（ｃ）で示した内容と同じである。
【００２６】
図４は、本発明の実施の形態によるタッチ部の貫通孔の変形例を示す平面図である。本発明による排出部２００の排出突起２１０は、一つ以上設けてもよく、これに対応して排出突起２１０が挿入されるタッチ部４００の貫通孔４１０も一つ以上設けてもよい（図４の（ａ）及び（ｂ）参照）。
【００２７】
また、排出突起２１０の形状は多様に形成されてもよく、それに対応して貫通孔４１０の形状も多様に形成されてもよい。一方、排出突起２１０の形状は円形であってもよく、貫通孔４１０の形状はＴ字形（図４の（ｃ）参照）、十字型（図４の（d）参照）等、多様に設けられてもよい。
【００２８】
タッチ部４００の形状も多様に設けられてもよく、例として、長楕円形の場合、貫通孔４１０の形状を上下の長く延びる十字型に設けて（図４の（d）参照）、液状の内容物がタッチ部４００の表面に迅速に一様に塗布されるようにすることができる。
【００２９】
一方、本発明による化粧品容器には、多様な性質を有する液状の内容物を収容することができる。尚、化粧品の特性の上、オイルが含まれ得るので、本発明によるタッチ部４００の材料はオイルを少なく吸収する耐油性材料からなることが望ましい。
【００３０】
尚、本発明によるタッチ部４００は、使用者の皮膚をタッチしながら液状の内容物を一様に繰り広げる働きをするので、ある程度の弾性を有することが望ましい。このため、本発明によるタッチ部４００の材料は一例として、ポリウレタン材料、シリコン材料及び発疱ゴム材料の群のうちのいずれかからなることが望ましい。更に、発疱ゴム材料は一例として、耐油性の他にも、耐摩耗性及び耐久性に優れたニトリル・ブタジエン・ゴム（ＮＢＲ：Ｎｉｔｒｉｌｅ  Ｂｕｔａｄｉｅｎｅ  Ｒｕｂｂｅｒ）からなることが望ましい。
【００３１】
図５は、本発明の実施の形態によるタッチ部の材料の変形例を示す断面図である。本発明によるタッチ部４００は、単一材料からなってもよく（図５の（ａ）参照）、タッチ部４００の上面に毛を植設した植毛部６００を更に取り付けてもよい（図５の（ｂ）参照）。
【００３２】
本発明による植毛部６００は、皮膚タッチ感を向上すると共に、液状の内容物が皮膚上で一様に広がるような働きをする。本発明による植毛部６００は、一例としてナイロン・パイル（ｎｙｌｏｎ  ｐｉｌｅ）からなることが望ましい。
【００３３】
図６は、本発明による排出部２００にパッキング２７０を更に取り付けたことを示す断面図である。本発明による化粧品容器に収容される液状の内容物が、外部に漏れ出さないようにするために、図６に示すように、排出部２００の内には排出突起２１０の内側を貫通する孔と連通する貫通孔を有するパッキング２７０が更に取り付けられ、収容部１００の開口部１１０はパッキング２７０と対応する形状に設けられ、収容部１００と排出部２００との間をパッキング２７０によってシールすることが望ましい。パッキング２７０の素材としては、漏水及び漏油の防止目的に一般に使われているものを適用してもよい。また、排出部２００及びパッキング２７０は異なる素材を用いてもよく、同じ素材を用いてもよい。
【００３４】
図７は、図１の化粧品容器が組み立てられた状態の断面図である。図１及び図７には、支持部３００が排出部２００と結合する実施の形態を示しているが、支持部３００が収容部１００と結合する実施の形態も勿論可能である。また、図１及び図７では、タッチ部４００の形状は、上部が幅広で下部が幅狭の形状になっているが、上下同一直径の形状も当然可能である。
【図面の簡単な説明】
【００３５】
【図１】本発明による化粧品容器の組立前状態を示す断面図である。
【図２】本発明の一実施の形態による化粧品容器のタッチ部に関連する断面図である。
【図３】本発明の他の実施の形態による化粧品容器のタッチ部に関連する断面図である。
【図４】本発明の実施の形態によるタッチ部の貫通孔の変形例を示す平面図である。
【図５】本発明の実施の形態によるタッチ部の材料の変形例を示す断面図である。
【図６】本発明による排出部にパッキングを更に設けたことを示す断面図である。
【図７】図１の化粧品容器が組み立てられた状態の断面図である。
【符号の説明】
【００３６】
１００  収容部
１１０  開口部
２００  排出部
２１０  排出突起
２３０  係止突起
２５０  係止溝
２７０  パッキング
３００  支持部
３１０  係止突起
３３０  係止溝
４００  タッチ部
４１０  貫通孔
４３０  係止溝
４５０  係止突起
５００  蓋部
５１０  排出突起栓
５３０  鏡
６００  植毛部
【図１】
2008055153.tif 000003
【図２】
2008055153.tif 000004
【図３】
2008055153.tif 000005
【図４】
2008055153.tif 000006
【図５】
2008055153.tif 000007
【図６】
2008055153.tif 000008
【図７】
2008055153.tif 000009